(57)【要約】      （修正有）【課題】メイン液晶パネルの平面映像を２Ｄ(２次元)または、３Ｄ(３次元)で、観察者に認識されるようにする立体映像表示装置用パララックスバリヤー液晶パネル及びその製造方法を提供する。【解決手段】パララックスバリヤー液晶パネルは、アクティブ領域及びそれを覆う非アクティブ領域とに区分された第１基板１１０と；前記第１基板１１０と向かい合って形成された第２基板１４０と；前記第１基板１１０の一面の、前記非アクティブ領域に形成された第１ないし第３配線パターンと；前記アクティブ領域に形成された、少なくとも、１つのバリヤー電極と；前記第２配線パターン及び第３配線パターンに各々連結され、前記アクティブ領域の前記各バリヤー電極に隣接して形成された、少なくとも、１ペアの第１透過電極及び第２透過電極と；前記第２基板１４０上に形成された共通電極と；両基板間に形成された液晶層１３０とを含む。【選択図】図５
2006189764.tif 000002
【特許請求の範囲】
【請求項１】
アクティブ領域及びこれを覆う非アクティブ領域とに区分された第１基板と；
前記第１基板と向かい合って形成された第２基板と；
前記第１基板の一面の前記非アクティブ領域に形成された第１ないし第３配線パターンと；
前記第１配線パターンに連結されて、前記アクティブ領域に形成された、少なくとも、１つのバリヤー電極と；
前記第２配線パターン及び第３配線パターンに各々連結されて、前記バリヤー電極に隣接して形成された、少なくとも、１ペアの第１透過電極及び第２透過電極と；
前記第２基板上に形成された共通電極と；
前記第１基板及び第２基板間に介された液晶層とを含む立体映像表示装置用パララックスバリヤー液晶パネル。
【請求項２】
前記第１透過電極及び第２透過電極間に、少なくとも、１つのサブバリヤー電極をさらに含むことを特徴とする請求項１に記載の立体映像表示装置用パララックスバリヤー液晶パネル。
【請求項３】
前記第１ないし第３配線パターンは、前記非アクティブ領域で、相互に離隔して平行に配置されることを特徴とする請求項１に記載の立体映像表示装置用パララックスバリヤー液晶パネル。
【請求項４】
前記バリヤー電極、前記第１透過電極及び第２透過電極のうちの少なくとも、１つは、前記第１ないし第３配線パターンのうちの少なくとも、１つと交差されることを特徴とする請求項３に記載の立体映像表示装置用パララックスバリヤー液晶パネル。
【請求項５】
前記第１ないし第３配線パターンのうちの少なくとも、１つは、１度以上交差される前記バリヤー電極と、前記第１透過電極及び第２透過電極のうちの少なくとも、１つは、前記各交差点で、ネック状を有することを特徴とする請求項４に記載の立体映像表示装置用パララックスバリヤー液晶パネル。
【請求項６】
前記非アクティブ領域の最外側に形成され前記共通電極に連結される共通配線パターンをさらに含むことを特徴とする請求項１に記載の立体映像表示装置用パララックスバリヤー液晶パネル。
【請求項７】
前記第１ないし第３配線パターンは、不透明な金属であって、前記バリヤー電極、第１透過電極及び第２透過電極は、透明な物質であることを特徴とする請求項１に記載の立体映像表示装置用パララックスバリヤー液晶パネル。
【請求項８】
前記不透明な金属は、アルミニウムとアルミニウム合金のうちの１つであって、前記透明な物質は、インジウム−スズ−オキサイドとインジウム−ジンク−オキサイドのうちの１つであることを特徴とする請求項７に記載の立体映像表示装置用パララックスバリヤー液晶パネル。
【請求項９】
前記第１ないし第３配線パターンは、前記バリヤー電極間に形成された第１絶縁膜と；
前記バリヤー電極、前記第１透過電極及び第２透過電極間に形成された第２絶縁膜をさらに含むことを特徴とする請求項１に記載の立体映像表示装置用パララックスバリヤー液晶パネル。
【請求項１０】
前記第１絶縁膜には、第１配線パターンと前記バリヤー電極を連結する第１コンタクトホールをさらに備えて、前記第２絶縁膜には、前記第２配線パターン及び第３配線パターンと、前記第１透過電極及び第２透過電極を各々連結する第２コンタクトホール及び第３コンタクトホールをさらに備えることを特徴とする請求項９に記載の立体映像表示装置用パララックスバリヤー液晶パネル。
【請求項１１】
前記第１基板の前記アクティブ領域と非アクティブ領域間に位置されて、前記バリヤー電極、前記第１透過電極及び第２透過電極が配列されたマージン領域をさらに含むことを特徴とする請求項１に記載の立体映像表示装置用パララックスバリヤー液晶パネル。
【請求項１２】
前記マージン領域の幅は、０.４ないし０.６ｍｍであることを特徴とする請求項１１に記載の立体映像表示装置用パララックスバリヤー液晶パネル。
【請求項１３】
前記第１基板の一面に形成されて、前記第２基板の端側と一致される第１スクライビングキーをさらに含むことを特徴とする請求項１に記載の立体映像表示装置用パララックスバリヤー液晶パネル。
【請求項１４】
前記第１ないし第３配線パターンに各々連結された状態で、前記第１基板の一端側に形成された電極パッドをさらに含むことを特徴とする請求項１に記載の立体映像表示装置用パララックスバリヤー液晶パネル。
【請求項１５】
前記電極パッドは、ＦＰＣ電極パッドであることを特徴とする請求項１４に記載の立体映像表示装置用パララックスバリヤー液晶パネル。
【請求項１６】
アクティブ領域と非アクティブ領域を含む第１基板上に、第１ないし第３配線パターンを形成する段階と；
前記第１ないし第３配線パターンが形成された前記第１基板上に、前記第１配線パターンを露出させる、少なくとも、１つの第１コンタクトホールを備えた第１絶縁膜を形成する段階と；
前記第１絶縁膜上に、前記第１コンタクトホールを通じて前記第１配線パターンに連結される、少なくとも、１つのバリヤー電極を形成する段階と；
前記バリヤー電極が形成された前記第１基板上に、第２配線パターン及び第３配線パターンを各々露出させる、少なくとも、１ペアの第２コンタクトホール及び第３コンタクトホールを備えた第２絶縁膜を形成する段階と；
前記第２絶縁膜上に、前記第２コンタクトホール及び第３コンタクトホールを通じて前記第２配線パターン及び第３配線パターンに各々連結される、少なくとも、１つの第１透過電極及び第２透過電極を形成する段階と；
共通電極を含む第２基板を形成する段階と；
前記第１基板と第２基板を対面合着させる段階と；
前記第１基板及び第２基板を各々のセル別にスクライビングする段階とを含む立体映像表示装置用パララックスバリヤー液晶パネルの製造方法。
【請求項１７】
前記第１透過電極及び第２透過電極間に、サブバリヤー電極を形成する段階をさらに含むことを特徴とする請求項１６に記載の立体映像表示装置用パララックスバリヤー液晶パネルの製造方法。
【請求項１８】
前記バリヤー電極、前記第１透過電極及び第２透過電極のうちの少なくとも、１つは、前記第１ないし第３配線パターンのうちの少なくとも、１つと交差されることを特徴とする請求項１７に記載の立体映像表示装置用パララックスバリヤー液晶パネルの製造方法。
【請求項１９】
前記第１ないし第３配線パターンのうちの少なくとも、１つと交差される前記バリヤー電極、前記第１透過電極及び第２透過電極のうちの少なくとも、１つは、前記各交差点で、ネック状を有することを特徴とする請求項１８に記載の立体映像表示装置用パララックスバリヤー液晶パネルの製造方法。
【請求項２０】
前記非アクティブ領域の最外側に、共通配線パターンを形成する段階をさらに含むことを特徴とする請求項１６に記載の立体映像表示装置用パララックスバリヤー液晶パネルの製造方法。
【請求項２１】
前記第１基板の前記アクティブ領域と非アクティブ領域間に位置されて、前記バリヤー電極、前記第１透過電極及び第２透過電極が配列されたマージン領域をさらに含むことを特徴とする請求項１６に記載の立体映像表示装置用パララックスバリヤー液晶パネルの製造方法。
【請求項２２】
前記マージン領域の幅は、０.４ないし０.６ｍｍであることを特徴とする請求項２１に記載の立体映像表示装置用パララックスバリヤー液晶パネルの製造方法。
【請求項２３】
前記第１基板上に、第１スクライビングキー及び第２スクライビングキーを形成する段階をさらに含むことを特徴とする請求項２１に記載の立体映像表示装置用パララックスバリヤー液晶パネルの製造方法。
【請求項２４】
前記第１基板及び第２基板は、前記第１スクライビングキー及び第２スクライビングキーに沿ってスクライビングする段階をさらに含むことを特徴とする請求項２３に記載の立体映像表示装置用パララックスバリヤー液晶パネルの製造方法。
【請求項２５】
前記第１スクライビングキー及び第２スクライビングキーは、前記第１配線パターン及び第３配線パターンと同一物質で形成されることを特徴とする請求項２３に記載の立体映像表示装置用パララックスバリヤー液晶パネルの製造方法。
【請求項２６】
前記非アクティブ領域の端側に、前記第１配線パターン及び第３配線パターンに連結される電極パッドを形成する段階をさらに含むことを特徴とする請求項２３に記載の立体映像表示装置用パララックスバリヤー液晶パネルの製造方法。
【請求項２７】
前記電極パッドは、ＦＰＣ電極パッドであることを特徴とする請求項２６に記載の立体映像表示装置用パララックスバリヤー液晶パネルの製造方法。
【請求項２８】
前記電極パッドを連結する前記非アクティブ領域の外側のショーティングラインを形成する段階をさらに含むことを特徴とする請求項２６に記載の立体映像表示装置用パララックスバリヤー液晶パネルの製造方法。
【請求項２９】
前記第１基板及び第２基板のスクライビングされる段階で、同時に前記ショーティングラインが除去されることを特徴とする請求項２８に記載の立体映像表示装置用パララックスバリヤー液晶パネルの製造方法。
【請求項３０】
前記第１ないし第３配線パターンは、不透明な金属であって、前記バリヤー電極、第１透過電極及び第２透過電極は、透明な物質であることを特徴とする請求項１６に記載の立体映像表示装置用パララックスバリヤー液晶パネルの製造方法。
【請求項３１】
前記不透明な金属は、アルミニウムとアルミニウム合金のうちの１であって、前記透明な物質は、インジウム−スズ−オキサイドとインジウム−ジンク−オキサイドのうちの１つであることを特徴とする請求項３０に記載の立体映像表示装置用パララックスバリヤー液晶パネルの製造方法。
【請求項３２】
液晶パネルと；
前記アクティブ領域と非アクティブ領域を含む第１基板と；
前記第１基板と向かい合って形成された第２基板と；
前記非アクティブ領域に形成された前記第１ないし第３配線パターンと；
前記アクティブ領域に形成されて、前記第１配線パターンに連結される、少なくとも、１つのバリヤー電極と；
前記第２配線パターン及び第３配線パターンに連結されて、前記バリヤー電極に隣接して形成された、少なくとも、１ペアの第１透過電極及び第２透過電極と；
前記第２基板に形成される共通電極と；
前記第１基板及び第２基板間に形成される液晶層を含むパララックスバリヤー液晶パネルと；
前記第１ないし第３配線パターンに電圧が印加されない時は、前記バリヤー電極、第１透過電極及び第２透過電極がホワイト状態に置かれる２次元モードと、前記第１配線パターンに電圧が印加されて、前記第２配線パターン及び第３配線パターンには、電圧が印加されない時は、前記バリヤー電極は、ブラック状態で、前記第１透過電極及び第２透過電極は、ブラック状態とホワイト状態を、交互に置かれる３次元モードのうちの１つから、選択的に駆動させるための回路部とを含む立体映像表示装置。
【請求項３３】
前記第１透過電極及び第２透過電極間に形成されて、第１配線パターンに連結されるサブバリヤー電極をさらに含むことを特徴とする請求項３２に記載の立体映像表示装置。
【請求項３４】
前記第１透過電極及び第２透過電極は、３次元モードで、反対の状態を有して、交互に駆動されることを特徴とする請求項３２に記載の立体映像表示装置。
【発明の詳細な説明】
【技術分野】
【０００１】
本発明は、液晶パネルに係り、特に、立体映像表示装置用パララックスバリヤー液晶パネル及びその製造方法に関する。
【背景技術】
【０００２】
今までは、２次元表示装置が一般的に使用されてきたが、最近には、広帯域通信網の使用による情報の高速化により、３次元表示装置が研究及び開発されている。
【０００３】
一般的に、３次元を表現する立体映像は、ステレオ視覚の原理に頼るが、両眼の視差は、立体感の最も重要な要因である。すなわち、人体の右左の目が各々相互に連関された２Ｄ映像を見る場合に、これら２つの映像が網膜を通じて脳に伝達されると、脳はこれを相互に融合して、本来の３次元映像の深さと実在感を再生する。
【０００４】
前述したような原理に基ついて、２次元の画面で３次元の映像を表示する、多様な表示装置が利用されている。例えば、無めがね式の立体表示装置、また、ホログラフィック表示装置等がある。
【０００５】
特殊めがねを利用した立体表示装置は、別途の特殊めがねをかけなければならないために、不便さと不自然さを誘発する短所があって、ホログラフィック表示装置は、別途のレーザービームを使用しなければならない短所がある。
【０００６】
ところが、無めがね式立体表示装置は、別途のめがねをかけることなく、これを具現するための装置的構成が簡単である。このような、無めがね式立体表示装置は、パララックスバリヤー方式と、レンチキュラ方式と、インテグラルフォトグラフィー方式とに区分されて、この中で、パララックスバリヤー方式が主に使用されている。
【０００７】
図１は、従来の技術によるパララックスバリヤー方式の立体映像表示装置を示した概略的の断面図であって、メインディスプレー装置として液晶パネル１０を使用している。
【０００８】
図示したように、パララックスバリヤー方式の立体映像表示装置は、液晶パネル１０と、液晶パネル１０の下にあるバックライト２０と、液晶パネル１０と観察者４０間にあるパララックスバリヤー３０とを含む。この時、液晶パネル１０には、左眼用のイメージ情報を表示する左眼ピクセルＬと、右眼用のイメージ情報を表示する右眼ピクセルＲが交互に形成されており、パララックスバリヤー３０には、右眼用ピクセルＲ及び左眼用ピクセルＬから出る光を、各々選択的に通過及び遮断させるスリット３２とバリヤー３４が交互にストライプ状に存在する。
【０００９】
バックライト２０から発散された光のうち、液晶パネル１０の左眼用ピクセルＬを通過した光Ｌ１は、パララックスバリヤー３０のスリット３２を通って観察者４０の左眼に到達され、液晶パネル１０の右眼用ピクセルＲを通過した光Ｒ１は、パララックスバリヤー３０のスリット３２を通って観察者４０の 右眼に到達される。また、これら各々の右眼用ピクセルＲ及び左眼用ピクセルＬを通って表示される映像には、人間が十分に感知できる程度の十分な視差情報が存在して、観察者４０は、３次元立体映像を認識する。
【００１０】
ところが、スリット３２とバリヤー３４が永久的に区分されたパララックスバリヤー３０を使用することによって、３Ｄ専用だけに、その活用範囲が限られる短所がある。従って、このような使用制限を解決するために、２Ｄモードと３Ｄモードの変換が可能の立体映像表示装置が紹介された。
【００１１】
これに添付された図２Ａと図２Ｂは、一般的なパララックスバリヤー液晶パネルを備えた立体映像表示装置の概略的な断面図であって、各々２Ｄモードと３Ｄモードである。
【００１２】
図示したように、一般的なパララックスバリヤー液晶パネルを活用した立体映像表示装置は、基本的には、バックライト５０及びこれから出射された光を利用して平面映像を表示するメイン液晶パネル６０を含み、これらの間に別途のパララックスバリヤー液晶パネル７０が介された構成である。
【００１３】
この時、メイン液晶パネル６０は、第１液晶層６２を間に、相互に対面合着された１ペアの第１基板６４及び第２基板６６を含み、図面上に、明らかに示されてはないが、前記第１基板６４及び第２基板６６間に、複数の画素が横縦に配列されている。また、これら各画素ごと、液晶を間に、相互に向かい合う第１基板６４の透明画素電極と第２基板６６の透明第１共通電極が位置するが、このうち、画素電極には、一対一対応に備えた薄膜トランジスタＴＦＴにより選択的に映像信号電圧が印加される。また、第２基板６６には、各画素に対応するように、例えば、赤色Ｒ、緑色Ｇ、青色Ｂのカラーフィルター及びこれらの間の間隔を埋めるブラックマトリックスを備えて、前述した第１共通電極がこれらを覆っている。
【００１４】
従って、薄膜トランジスタのスイッチング動作により選択された画素の画素電極に映像信号電圧が印加されると、当画素電極と第１共通電極間に、電圧の差が発生して、これによって、光学的異方性と分極性質を有する液晶分子が駆動され透過率の差を示して、バックライト５０の光がメイン液晶パネル６０を透過しながら、各画素別の透過率の差と赤色Ｒ、緑色Ｇ、青色Ｂのカラーフィルターの色の組み合わせにより、多様な平面カラー映像が表示される。
【００１５】
また、パララックスバリヤー液晶パネル７０は、第２液晶層７２を間に、相互に対面合着された第３基板７４及び第４基板７８を含むが、前記メイン液晶パネル６０とは異なり、画素の区分なしに、単純なストライプ状の透明バリヤー電極７６が第３基板７４の内面に形成されており、第４基板７８の内面には、第２共通電極８０が形成されている。この時、第２液晶層７２がツイストネマティック集合体との前提により、３Ｄモードでだけ、バリヤー電極７６に液晶駆動電圧が印加される。
【００１６】
さらに、このような立体映像表示装置には、例えば、メイン液晶パネル６０の第２基板６６の外面と、メイン液晶パネル６０とパララックスバリヤー液晶パネル７０間と、パララックスバリヤー液晶パネル７０の第３基板７４の背面に、各々第１ないし第３偏光板８２、８４、８６が付着される。
【００１７】
前述した構成のパララックスバリヤー液晶パネル７０を備えた立体映像表示装置は、パララックスバリヤー液晶パネル７０のバリヤー電極７６に、電圧が印加されない図２Ａの２Ｄモードで、前記パララックスバリヤー液晶パネル７０の全面においてノーマルホワイト状態を維持して、バックライト５０から出射された光を単純透過させて、その結果、観察者は、メイン液晶パネル６０の平面映像を見ることができる。
【００１８】
一方、バリヤー電極７６に液晶駆動電圧が印加された図２Ｂの３Ｄモードでは、バリヤー電極７６と第２共通電極８０間の液晶だけが駆動され、相当部分がブラックを表示することによって、光を遮断する遮断領域(Barrier-zone、以下、ＢＺと称する。)になり、そのあいだあいだ部分は、ホワイトを表示して光を透過させる透過領域(Transparent zone、以下、ＴＺと称する。)になる。その結果、ＢＺとＴＺは、各々バリヤーとスリットとして作用して、観察者は、メイン液晶パネル６０の映像を立体に認識することができる。
【００１９】
前記パララックスバリヤー液晶パネル７０は、厳密には、バリヤー電極７６のオン/オフ動作により２Ｄモードと３Ｄモードを転換することができる。
【００２０】
一方、これと類似であるが、細部的な構成では差別性を有する、また他の形態のパララックスバリヤー液晶パネルが紹介されているが、その断面構造を図３に示しており、図２Ａ及び図２Ｂで説明した各部分と同じ役割をする同一要素に対しては同一符号を与えている。
【００２１】
図示したように、一般的な、また他の形態の立体映像表示装置は、メイン液晶パネル６０及びバックライト５０を備えていることは前述した通りであって、これらの間に、パララックスバリヤー液晶パネル７０が介されている。ところが、この場合、パララックスバリヤー液晶パネル７０の第３基板７４及び第４基板７８間には、ＴＺに対応するように透明な高分子物質、例えば、フォトアクリル等で構成された隔壁９０が位置しており、従って、ＴＺには、液晶が存在しないで隔壁９０の間の空間のＢＺにだけ液晶が充填された構造である。
【００２２】
また、前述したように、ＢＺに対応する第３基板７４の内面には、各々バリヤー電極７６が位置して、これと対面される第４基板７８の内面には、第２共通電極８０を備えている。よって、バリヤー電極７６のオン/オフにより２Ｄモードと３Ｄモードが選択表示できて、ＴＺとＢＺとの境界が明らかに区分される長所がある。
【００２３】
ところが、前述した一般的なパララックスバリヤー液晶パネルを利用した立体映像表示装置は、３Ｄモードで、低い輝度と解像度を有する等の短所がある。
【００２４】
すなわち、３Ｄモードで、ＴＺの幅が狭くなるほど、解像度は、増加するが、開口率が減少され輝度が減少する。例えば、３Ｄモードで、メイン液晶パネル６０から具現される映像の一部を示した図４を参照すると、ＴＺの面積が大変狹小であって、従って、もし、ＴＺの面積がこれより小さくなる場合、開口率と輝度は、急激に減少する。結果的に、一般的な立体映像表示装置は、所定の輝度を維持するために、解像度が減少されることを勘案している実情であるので、３次元イメージの表示が限られている。
【発明の開示】
【発明が解決しようとする課題】
【００２５】
本発明は、前述したような問題を解決するために案出されており、使用者の選択によってメイン液晶パネルの平面映像を２Dモードと３Dモードに、自由に表示されると同時に、３Dモードで具現される立体映像の体感解像度を増加させ、より実感のわく立体映像を具現する立体映像表示装置用パララックスバリヤー液晶パネル及びその製造方法を提供する。
また、本発明は、前記パララックスバリヤー液晶パネルの具体的な形状及びこれによる製造方法を提供する。
【課題を解決するための手段】
【００２６】
前述したような目的を達成するために、本発明は、アクティブ領域及びこれを覆う非アクティブ領域とに区分された第１基板と；前記第１基板と向かい合って形成された第２基板と；前記第１基板の一面の前記非アクティブ領域に形成された第１ないし第３配線パターンと；前記第１配線パターンに連結されて、前記アクティブ領域に形成された、少なくとも、１つのバリヤー電極と；前記第２配線パターン及び第３配線パターンに各々連結されて、前記バリヤー電極に隣接して形成された、少なくとも、１ペアの第１透過電極及び第２透過電極と；前記第２基板上に形成された共通電極と；前記第１基板及び第２基板間に介された液晶層とを含む立体映像表示装置用パララックスバリヤー液晶パネルを提供する。
【００２７】
この時、前記第１透過電極及び第２透過電極間に、少なくとも、１つのサブバリヤー電極をさらに含み、また、前記第１ないし第３配線パターンは、前記非アクティブ領域で、相互に離隔して平行に配置される。さらに、前記バリヤー電極、前記第１透過電極及び第２透過電極のうちの少なくとも、１つは、前記第１ないし第３配線パターンのうちの少なくとも、１つと交差されて、前記第１ないし第３配線パターンのうちの少なくとも、１つは、１度以上交差される前記バリヤー電極と、前記第１透過電極及び第２透過電極のうちの少なくとも、１つは、前記各交差点で、ネック状を有することを特徴とする。
【００２８】
前記非アクティブ領域の最外側に形成され前記共通電極に連結される共通配線パターンをさらに含む。
【００２９】
前記第１ないし第３配線パターンは、不透明な金属であって、前記バリヤー電極、第１透過電極及び第２透過電極は、透明な物質であり、前記不透明な金属は、アルミニウムとアルミニウム合金のうちの１であって、前記透明な物質は、インジウム−スズ−オキサイドとインジウム−ジンク−オキサイドのうちの１つである。
【００３０】
また、前記第１ないし第３配線パターンは、前記バリヤー電極間に形成された第１絶縁膜と；前記バリヤー電極、前記第１透過電極及び第２透過電極間に形成された第２絶縁膜をさらに含み、前記第１絶縁膜には、第１配線パターンと前記バリヤー電極を連結する第１コンタクトホールをさらに備えて、前記第２絶縁膜には、前記第２配線パターン及び第３配線パターンと、前記 第１透過電極及び第２透過電極を各々連結する第２コンタクトホール及び第３コンタクトホールをさらに備える。
【００３１】
さらに、前記第１基板の前記アクティブ領域と非アクティブ領域間に位置されて、前記バリヤー電極、前記第１透過電極及び第２透過電極が配列されたマージン領域を含み、前記マージン領域の幅は、０.４ないし０.６ｍｍである。
【００３２】
なお、前記第１基板の一面に形成されて、前記第２基板の端側と一致される第１スクライビングキーをさらに含み、前記第１ないし第３配線パターンに各々連結された状態で、前記第１基板の一端側に形成された電極パッドを含み、前記電極パッドは、ＦＰＣ電極パッドである。
【００３３】
立体映像表示装置用パララックスバリヤー液晶パネルの製造方法としては、アクティブ領域と非アクティブ領域を含む第１基板上に、第１ないし第３配線パターンを形成する段階と；前記第１ないし第３配線パターンが形成された前記第１基板上に、前記第１配線パターンを露出させる、少なくとも、１つの第１コンタクトホールを備えた第１絶縁膜を形成する段階と；前記第１絶縁膜上に、前記第１コンタクトホールを通じて前記第１配線パターンに連結される、少なくとも、１つのバリヤー電極を形成する段階と；前記バリヤー電極が形成された前記第１基板上に、第２配線パターン及び第３配線パターンを各々露出させる、少なくとも、１ペアの第２コンタクトホール及び第３コンタクトホールを備えた第２絶縁膜を形成する段階と；前記第２絶縁膜上に、第２コンタクトホール及び第３コンタクトホールを通じて前記第２配線パターン及び第３配線パターンに各々連結される、少なくとも、１つの第１透過電極及び第２透過電極を形成する段階と；共通電極を含む第２基板を形成する段階と；前記第１基板と第２基板を対面合着させる段階と；前記第１基板及び第２基板を各々のセル別にスクライビングする段階とを含むことを特徴とする。
【００３４】
また、前記第１透過電極及び第２透過電極間に、サブバリヤー電極を形成する段階をさらに含む。
【００３５】
前記バリヤー電極、前記第１透過電極及び第２透過電極のうちの少なくとも、１つは、前記第１ないし第３配線パターンのうちの少なくとも、１つと交差されて、前記第１ないし第３配線パターンのうちの少なくとも、１つと交差される前記バリヤー電極、前記第１透過電極及び第２透過電極のうちの少なくとも、１つは、前記各交差点で、ネック状を有する。
【００３６】
さらに、前記非アクティブ領域の最外側に、共通配線パターンを形成する段階を含み、前記第１基板の前記アクティブ領域と非アクティブ領域間に位置されて、前記バリヤー電極、前記第１透過電極及び第２透過電極が配列されたマージン領域を含み、前記マージン領域の幅は、０.４ないし０.６ｍｍである。
【００３７】
なお、前記第１基板上に、第１スクライビングキー及び第２スクライビングキーを形成する段階を含み、前記第１基板及び第２基板は、前記第１スクライビングキー及び第２スクライビングキーに沿ってスクライビングする段階をさらに含み、前記第１スクライビングキー及び第２スクライビングキーは、前記第１配線パターン及び第３配線パターンと同一物質で形成される。
【００３８】
前記非アクティブ領域の端側に、前記第１配線パターン及び第３配線パターンに連結される電極パッドを形成する段階を含み、前記電極パッドは、ＦＰＣ電極パッドである。また、前記電極パッドを連結する前記非アクティブ領域の外側のショーティングラインを形成する段階をさらに含み、前記第１基板及び第２基板のスクライビングされる段階で、同時に前記ショーティングラインが除去される。
【００３９】
前記第１ないし第３配線パターンは、不透明な金属であって、前記バリヤー電極、第１透過電極及び第２透過電極は、透明な物質であり、前記不透明な金属は、アルミニウムとアルミニウム合金のうちの１つであって、前記透明な物質は、インジウム−スズ−オキサイドとインジウム−ジンク−オキサイドのうちの１つである。
【００４０】
また、立体映像表示装置として、液晶パネルと；前記アクティブ領域と非アクティブ領域を含む第１基板と；前記第１基板と向かい合って形成された第２基板と；前記非アクティブ領域に形成された前記第１ないし第３配線パターンと；前記アクティブ領域に形成されて、前記第１配線パターンに連結される、少なくとも、１のバリヤー電極と；前記第２配線パターン及び第３配線パターンに連結されて、前記バリヤー電極に隣接して形成された、少なくとも、１ペアの第１透過電極及び第２透過電極と；前記第２基板に形成される共通電極と；前記第１基板及び第２基板間に形成される液晶層を含むパララックスバリヤー液晶パネルと；前記第１ないし第３配線パターンに電圧が印加されない時は、前記バリヤー電極、第１透過電極及び第２透過電極がホワイト状態に置かれる２次元モードと；前記第１配線パターンに電圧が印加されて、前記第２配線パターン及び第３配線パターンには、電圧が印加されない時は、前記バリヤー電極は、ブラック状態で、前記第１透過電極及び第２透過電極は、ブラック状態とホワイト状態を、交互に置かれる３次元モードのうちの１つから、選択的に駆動させるための回路部を含むことを特徴とする。
【００４１】
この時、前記第１透過電極及び第２透過電極間に形成されて、第１配線パターンに連結されるサブバリヤー電極をさらに含む。
【００４２】
また、前記第１透過電極及び第２透過電極は、３次元モードで、反対の状態を有して、交互に駆動される。
【００４３】
以下、図面を参照して、本発明をより詳しく説明する。
この時、本発明の具体的な構成により、いくつかの実施例に区分されるために、これらを各々区分して説明し、便宜上、実施例１で、共通的な部分の説明を先行して、実施例２では、これとは区別される差異点を中心に、不必要な説明は、省略する。
【発明の効果】
【００４４】
本発明による立体映像表示装置は、前述した構成のパララックスバリヤー液晶パネルを備えることによって２Ｄモード及び３Ｄモードに変換できて、また、輝度が高く、３Ｄ体感解像度が大変改善され、使用者により深みがあり、実感のわく立体映像を提供する長所がある。
【実施例１】
【００４５】
図５は、本発明の実施例１による立体映像表示装置の断面図であって、平面映像を表示するメイン液晶パネル１００と、これの背面に備えたパララックスバリヤー液晶パネル２００と、前記パララックスバリヤー液晶パネル２００の背面で光を供給するバックライト３００とを含む。この場合、必要によって、パララックスバリヤー液晶パネル２００がメイン液晶パネル１００の全面に位置することも可能である。
【００４６】
この時、メイン液晶パネル１００は、ラップトップコンピュータやテレビまたは、各種のディスプレー装置に使用される一般的な能動行列方式の液晶パネルと同様な構造であって、図６は、その例えに関する詳しい分解斜視図である。
【００４７】
図示したように、本発明による立体映像表示装置のメイン液晶パネルは、第１液晶層１３０を間に、相互に対面合着された第１基板１１０及び第２基板１４０を含む。
【００４８】
前記第１基板１１０は、通常、下部基板または、アレイ基板と称されるが、ガラスのような透明の第１基板１１０の内面に、複数のゲート配線１１４とデータ配線１１６が交差してマトリックス状の画素を縦横に、反復定義しており、前記ゲート配線１１４とデータ配線１１６の交差点には、薄膜トランジスタ１２０を備えて、各画素Ｐに実装された透明画素電極１２２と一対一対応連結されている。
【００４９】
また、これと向かい合う第２基板１４３は、通常、上部基板または、カラーフィルター基板と称され、ガラスのような透明の第２基板１４０の内面に、前記第１基板１１０のゲート配線１１４及びデータ配線１１６、薄膜トランジスタ１２０等のように、液晶駆動と直接的に関連のない部分を遮ることによって、各画素電極１２２だけを露出させれるように格子状に、反復される開口部を定義するブラックマトリックス１４６及びこれら各開口部に充填される、例えば、赤色Ｒ、緑色Ｇ、青色Ｂのカラーフィルター１４４ａ、１４４ｂ、１４４ｃ、これらを覆う透明な第１共通電極１４８を備えている。この時、たとえ、図面上に明らかに示されてはいないが、第１液晶層１３０と接する第１基板１１０及び第２基板１４０の内面には、各々液晶分子の配列方向を決定する配向膜が介される。
【００５０】
前述した構造のメイン液晶パネル１００は、画素電極１２２及び第１共通電極１４８間の任意的な電圧の差により発生される、垂直電界により液晶分子の配列方向を制御して透過率の差を示して、バックライト(図５の３００)から出射された光に各画素Ｐ別透過率の差と、赤色Ｒ、緑色Ｇ、青色Ｂのカラーフィルター１４４ａ、１４４ｂ、１４４ｃの色の組み合わせを反映させ、多様なカラーの平面映像をディスプレーする。
【００５１】
図５に示したように、パララックスバリヤー液晶パネル２００は、前述したメイン液晶パネル１００の平面映像を使用者の選択により２Ｄモードまたは、３Ｄモードに切り換える部分であって、２Ｄモードで平面映像を表示する場合には、全面積において光が透過され、３Ｄモードで立体映像を表示する場合には、光を透過するＴ-ｚｏｎｅと光を遮断するＢ-ｚｏｎｅとが区分され示される。
【００５２】
この時、特に、本発明による立体映像表示装置のパララックスバリヤー液晶パネル２００は、３Ｄモードでストライプ状のＢ-ｚｏｎｅ(ＢＺ)、また、このようなＢ-ｚｏｎｅ(ＢＺ)の間ごとで、各々ストライプ状に交互に光を透過及び遮断させる第１Ｔ-ｚｏｎｅ(ＴＺ１)及び第２Ｔ-ｚｏｎｅ(ＴＺ２)とに区分されていることを特徴として、３Ｄモードで、パララックスバリヤー液晶パネル２００には、ブラックを表示するＢ-ｚｏｎｅ(ＢＺ)がストライプ状に示されると同時に、その間ごとで、各々ストライプ状の第１Ｔ-ｚｏｎｅ(ＴＺ１)及び第２Ｔ-ｚｏｎｅ(ＴＺ２)が交代方式で、ブラックとホワイトを交差表示する。
【００５３】
より詳しくは、図７は、実施例１による立体映像表示装置において、特に、パララックスバリヤー液晶パネル２００の一部だけを拡大して示した断面図であって、反復配列される第１Ｔ-ｚｏｎｅ(ＴＺ１)及び第２Ｔ-ｚｏｎｅ(ＴＺ２)とＢ-ｚｏｎｅ(ＢＺ)のうち、任意の一単位構造だけを示している。これを図５と共に参照して、パララックスバリヤー液晶パネル２００を説明する。
【００５４】
図示したように、本発明の実施例１による立体映像表示装置のパララックスバリヤー液晶パネル２００は、第２液晶層２３０を間に、相互に対面合着された第３基板２１０及び第４基板２４０を含み、このうちの下部の第３基板２１０には、Ｂ-ｚｏｎｅ(ＢＺ)領域の対応するように、ストライプ状のバリヤー電極２１２が位置して、これの両側に、各々第１Ｔ-ｚｏｎｅ(ＴＺ１)及び第２Ｔ-ｚｏｎｅ(ＴＺ２)に対応するように、ストライプ状の第１透過電極２１４及び第２透過電極２１６が位置している。(従って、当単位構造が反復されることを勘案すると、Ｂ-ｚｏｎｅ(ＢＺ)間にストライプ状の第１Ｔ-ｚｏｎｅ(ＴＺ１)及び第２Ｔ-ｚｏｎｅ(ＴＺ２)が位置する形状になる。)
【００５５】
また、これと向かい合う第４基板２４０の内面には、全面において第２共通電極２４２を備えている。この時、バリヤー電極２１２、第１透過電極２１４及び第２透過電極２１６、第２共通電極２４２は、透明な導電性物質のインジウム−スズ−オキサイドＩＴＯ材質で構成される。
【００５６】
従って、このようなパララックスバリヤー液晶パネル２００のノーマルホワイトモードで駆動されると言う前提下に、２Ｄモードでは、バリヤー電極２１２、第１透過電極２１４及び第２透過電極２１６の、どこにも液晶駆動電圧が印加されなくて、その結果、バックライト３００から出射された光が全面において透過されるように、ノーマルホワイト状態を有することによって、メイン液晶パネル１００の平面映像が外部に示される。
【００５７】
また、３Ｄモードでは、バリヤー電極２１２に液晶駆動電圧が印加され、前記バリヤー電極２１２と第２共通電極２４２間の液晶を駆動させることによって、Ｂ-ｚｏｎｅ(ＢＺ)は、ブラック状態を有して、第１透過電極２１４及び第２透過電極２１６には、交互に液晶駆動電圧がオン/オフに印加されて、第１透過電極２１４により第１Ｔ-ｚｏｎｅ(ＴＺ１)で、ブラック状態を有する場合、第２透過電極２１６に対応する第２Ｔ-ｚｏｎｅ(ＴＺ２)は、ホワイト状態を有して、第２透過電極２１６により第２Ｔ-ｚｏｎｅ(ＴＺ２)で、ブラック状態を有する場合、第１透過電極２１４に対応する第１Ｔ-ｚｏｎｅ(ＴＺ１)は、ホワイト状態を有する。
【００５８】
その結果、メイン液晶パネル１００の平面映像を立体映像にディスプレーするが、この時、前記第１Ｔ-ｚｏｎｅ(ＴＺ１)及び第２Ｔ-ｚｏｎｅ(ＴＺ２)は、望ましくは、１フレーム内で、少なくとも、１度以上、交互にブラックとホワイトを表示する。
【００５９】
図５を参照する場合、本発明による立体映像表示装置には、例えば、メイン液晶パネル１００の第２基板１４０の外面、メイン液晶パネル１００とパララックスバリヤー液晶パネル２００間、前記パララックスバリヤー液晶パネル２００の第３基板２１０の背面に、各々第１ないし第３偏光板１５２、１５４、１５６が付着されて、第１液晶層１３０がツイストネマティック液晶集合体とすると、第１偏光板１５２及び第３偏光板１５６は、相互に同様な偏光の特性を示して、第２偏光板１５４は、これらとは反対の偏光の特性を示す。
【００６０】
一方、本発明によるパララックスバリヤー液晶パネル２００において、Ｂ-ｚｏｎｅ(ＢＺ)と第１Ｔ-ｚｏｎｅ(ＴＺ１)及び第２Ｔ-ｚｏｎｅ(ＴＺ２)は、相互に連続して配列されるが、バリヤー電極２１２と第１透過電極２１４及び第２透過電極２１６が、同一平面上に存在する場合には、各々の境界部分で液晶の異常駆動によるグレーレベルのような画質低下現象が現れる。従って、図７に示したように、バリヤー電極２１２、第１透過電極２１４及び第２透過電極２１６が相互に異なる層に位置するように、その間の層間を区分する第２絶縁膜２１８が形成されており、説明のない符号２２０は、第３基板２１０とバリヤー電極２１２間に介された第１絶縁膜を示す。
【００６１】
本発明の実施例１によるパララックスバリヤー液晶パネル２００の一形態は、第３基板２１０の一面に形成された第１絶縁膜２２０上にバリヤー電極２１２が位置しており、その上部に第２絶縁膜２１８が覆われて、前記第２絶縁膜２１８の上部に第１透過電極２１４及び第２透過電極２１６が位置している。
【００６２】
これと向かい合う第４基板２４０の内面には、第２共通電極２４２が位置しており、図示してはないが、第３基板２１０の第１透過電極２１４及び第２透過電極２１６の上部全面と、第４基板２４０の第２共通電極２４２の下部全面を覆う１ペアの配向膜が介され、第２液晶層２３０は、これら配向膜の間に位置する。
【００６３】
図８は、本発明の実施例１による立体映像パララックスバリヤー液晶パネル２００を利用した立体映像表示装置の３Ｄ具現映像の模式図である。
【００６４】
ここで、Ｉで表示された図面は、Ｂ-ｚｏｎｅ(ＢＺ)がブラック状態を有して、第１Ｔ-ｚｏｎｅ(ＴＺ１)は、ホワイト状態、第２Ｔ-ｚｏｎｅ(ＴＺ２)がブラック状態を有しており、ＩＩで表示された図面は、第１Ｔ-ｚｏｎｅ(ＴＺ１)とＢ-ｚｏｎｅ(ＢＺ)がブラック状態を有して、第２Ｔ-ｚｏｎｅ(ＴＺ２)は、ホワイト状態を有している。
【００６５】
これらは、１フレーム内で、少なくとも、１度は、交互に示されるので、実質的に、観察者が見る画像は、ＩＩＩで表示したように、第１Ｔ-ｚｏｎｅ(ＴＺ１)及び第２Ｔ-ｚｏｎｅ(ＴＺ２)が、ホワイトまたは、これと類似なグレーレベルを示すように認識される。
【００６６】
従って、実際、目で見る、ＲＧＢカラー画素の数だけを定量比較すると、Ｉ、ＩＩ対比ＩＩＩの場合には、２倍以上の開口率を示すが、任意の時点では、Ｂ-ｚｏｎｅ(ＢＺ)がブラックを表示して、第１Ｔ-ｚｏｎｅ(ＴＺ１)及び第２Ｔ-ｚｏｎｅ(ＴＺ２)のうちの１つだけがホワイトを表示するので、体感解像度の高い立体映像の表現が可能であって、前記第１Ｔ-ｚｏｎｅ(ＴＺ１)及び第２Ｔ-ｚｏｎｅ(ＴＺ２)の面積を適切に調節することによって、使用者は、より深みのある立体映像が見られて、３Ｄ体感解像度と輝度が大変改善される。
【実施例２】
【００６７】
図９は、本発明の実施例２による立体映像表示装置の断面を示した図であって、メイン液晶パネル１００及びバックライト３００は、前述した実施例１と同様である。ここで、前述したような作用をする同一部分に対しては、同一符号を付与して、重複された説明を省略する。
【００６８】
一方、パララックスバリヤー液晶パネル２００の場合には、前述した実施例１とは多少の差を有するが、３Ｄモード時、ストライプ状のＢ-ｚｏｎｅ(ＢＺ)が示されて、これらの間に各々交互に光を遮断及び透過させる第１Ｔ-ｚｏｎｅ(ＴＺ１)及び第２Ｔ-ｚｏｎｅ(ＴＺ２)が示され、特に、前記第１Ｔ-ｚｏｎｅ(ＴＺ１)及び第２Ｔ-ｚｏｎｅ(ＴＺ２)間の境界を区分するライン状に、別途のサブＢ-ｚｏｎｅ(ＳＢＺ)を示している。
【００６９】
すなわち、図１０は、本発明の実施例２によるパララックスバリヤー液晶パネル２００のうち、反復配列される第１Ｔ-ｚｏｎｅ(ＴＺ１)及び第２Ｔ-ｚｏｎｅ(ＴＺ２)とＢ-ｚｏｎｅ(ＢＺ)、サブＢ-ｚｏｎｅ(ＳＢＺ)の一単位構造を拡大して示した断面図であって、これを一緒に参照すると、これも第２液晶層２３０を間に、相互に対面合着された第３基板２１０及び第４基板２４０を含む。
【００７０】
また、このうち、下部の第３基板２１０には、ストライプ状のバリヤー電極２１２と、その間にライン状のサブバリヤー電極２１３が、一定間隔を置いて配列されており、これらの間ごと、各々ストライプ状の第１透過電極２１４及び第２透過電極２１６を備えている。(従って、当単位構造が反復されることを勘案すると、Ｂ-ｚｏｎｅ(ＢＺ)間に、第１Ｔ-ｚｏｎｅ(ＴＺ１)及び第２Ｔ-ｚｏｎｅ(ＴＺ２)が示されるが、その間をライン状のサブＢ-ｚｏｎｅ(ＳＢＺ)が通る形状になる。)
【００７１】
また、これと向かい合う第４基板２４０の内面には、全面において第２共通電極２４２を備えている。この時、バリヤー電極２１２とサブバリヤー電極２１３、第１透過電極２１４及び第２透過電極２１６と第２共通電極２４２とは、透明な導電性物質のインジウム−スズ−オキサイドＩＴＯ材質で構成される。
【００７２】
従って、このようなパララックスバリヤー液晶パネル２００がノーマルホワイトモードにより駆動されると言う前提下に、２Ｄモードでは、バリヤー電極２１２とサブバリヤー電極２１３、第１透過電極２１４及び第２透過電極２１６のどこにも液晶駆動電圧が印加されなく、バックライト３００の光を全面において透過させることによって、メイン液晶パネル１００の平面映像が示させる。
【００７３】
さらに、３Ｄモードで、バリヤー電極２１２とサブバリヤー電極２１３に、持続的な液晶駆動電圧が印加されて、第１透過電極２１４及び第２透過電極２１６には、交互に液晶駆動電圧が印加されると、その結果、ストライプ状にブラック状態を有するＢ-ｚｏｎｅ(ＢＺ)と、これらの間でライン状のブラック状態を有するサブＢ-ｚｏｎｅ(ＳＢＺ)が示されて、その間ごと、第１Ｔ-ｚｏｎｅ(ＴＺ１)及び第２Ｔ-ｚｏｎｅ(ＴＺ２)が交互にブラック状態とホワイト状態を、１フレーム内で、少なくとも、１度以上交互に有する。その結果、メイン液晶パネル１００の平面映像は、観察者に立体映像を見せる。
【００７４】
一方、このような本発明による実施例２も、前記バリヤー電極２１２、サブバリヤー電極２１３、第１透過電極２１４及び第２透過電極２１６間の電気的干渉を、できるだけ最小限にすることが望ましく、このために、第３基板２１０の表面の第１絶縁膜２２０上に、バリヤー電極２１２とサブバリヤー電極２１３を備えており、これを覆う所定の厚さの第２絶縁膜２１８上に、第１透過電極２１４及び第２透過電極２１６が位置している。また、第４基板２４０には、第２共通電極２４２が位置している。
【００７５】
このような本発明の実施例２によるパララックスバリヤー液晶パネル２００を備えた立体映像表示装置の３Ｄモード具現映像の模式図を、図１１に示しているが、このうち、Ｉ′で表示された部分は、Ｂ-ｚｏｎｅ(ＢＺ)、サブＢ-ｚｏｎｅ(ＳＢＺ)が、ブラック状態を有して、第１Ｔ-ｚｏｎｅ(ＴＺ１)は、ホワイト、 第２Ｔ-ｚｏｎｅ(ＴＺ２)は、ブラック状態を有しており、ＩＩ′で表示された部分は、Ｂ-ｚｏｎｅ(ＢＺ)、サブＢ-ｚｏｎｅ(ＳＢＺ)と第１Ｔ-ｚｏｎｅ(ＴＺ１)が、ブラック状態を有して、第２Ｔ-ｚｏｎｅ(ＴＺ２)が、ホワイト状態を有していて、結果的に、使用者は、これらが合わせられたＩＩＩ′の立体映像を観察する。
【００７６】
この時、前述した実施例１のＩＩＩと当実施例２のＩＩＩ′を比較すると、使用者が見るＲＧＢカラー画素数は、相互に同様である場合があるが、各カラー画素がライン状のサブＢ-ｚｏｎｅ(ＳＢＺ)により上下に分離された形態を有して、使用者に３Ｄの体感解像度がより改善された立体映像を表示することができる。
【００７７】
一方、本発明によるパララックスバリヤー液晶パネル２００の細部的な構造を、図１２を参照して説明する。この時、添付された図１２は、本発明によるパララックスバリヤー液晶パネルの第３基板だけを示した平面図であって、特に、前述した実施例２に関するが、これを土台にする場合、当業者ならば本発明の実施例１によるパララックスバリヤー液晶パネルの構造も簡単に予想できる。また、以下の説明で一部は、一般的の技術的思想を元にしているために、これに対しては、簡単に述べる。
【００７８】
図示したように、本発明による立体映像表示装置用パララックスバリヤー液晶パネルの第３基板２１０は、アクティブ領域４０４と、これを覆う非アクティブ領域４０２とに区分されている。
【００７９】
また、このうち、非アクティブ領域４０２は、３Ｄモードで(以下、同様である。)、バリヤー電極２１２、サブバリヤー電極２１３、第１透過電極２１４及び第２透過電極２１６に、相互に異なるタイミングの液晶駆動電圧を印加するための各種の配線パターンが存在される部分であって、アクティブ領域４０４は、バリヤー電極２１２、サブバリヤー電極２１３、第１透過電極２１４及び第２透過電極２１６がストライプ状に配列され、実質的に、Ｂ-ｚｏｎｅ(ＢＺ)とサブＢ-ｚｏｎｅ(ＳＢＺ)、第１Ｔ-ｚｏｎｅ(ＴＺ１)及び第２Ｔ-ｚｏｎｅ(ＴＺ２)とが具現される部分である。
【００８０】
よって、前記非アクティブ領域４０２には、複数のバリヤー電極２１２と、これから分枝されたサブバリヤー電極２１３に、液晶駆動電圧を伝達する第１配線パターン４１２と、１フレーム内で、第１透過電極２１４及び第２透過電極２１６に、１度以上交互に液晶駆動電圧を伝達する第２配線パターン４１４及び第３配線パターン４１６が、内外側に相互に分離され存在する。
【００８１】
さらに、第３基板２１０の非アクティブ領域４０２には、第４基板(図９、図１０の２４０)の第２共通電極(図９、図１０の２４２)に、液晶駆動電圧を伝達する共通配線パターン４１８が位置して、これら各々の配列形態は、例えば、非アクティブ領域４０２の最外廓に共通配線パターン４１８が位置して、この内側には、第３基板２１０の両長軸の端側に沿って各々第１配線パターン４１２が位置して、この内側には、第３基板２１０の一長軸の端側から一短軸の端側に沿って第２配線パターン４１４が位置し、前記第２配線パターン４１４に対応するように、第３基板２１０の他の１つの長軸の端側から他の１つの短軸の端側に沿って第３配線パターン４１６が位置する。
【００８２】
この時、前述したバリヤー電極２１２、サブバリヤー電極２１３、第１透過電極２１４及び第２透過電極２１６は、上下に相互に異なる層に形成されることが、電気的干渉から自由になると述べているが、その結果、バリヤー電極２１２、第１透過電極２１４及び第２透過電極２１６は、各々第１ないし第３コンタクトホール４２２、４２４、４２６を通って第１ないし第３配線パターン４１２、４１４、４１６に連結される。
【００８３】
図１３は、円内部分Ｌの拡大平面図であって、図１４Ａないし図１４Ｃは、Ｘ-Ｘ、Ｙ-Ｙ、Ｚ-Ｚ線に沿って切断した断面を示した の断面図である。この時、図１３のＸ-Ｘ線に沿って切断した断面は、前述した図１０と同様である。
【００８４】
図示したように、本発明によるパララックスバリヤー液晶パネル２００の第３基板２１０の表面に、第１ないし第３配線パターン４１２、４１４、４１６が各々形成されており、図１４Ａに示したように、この上部に、第１絶縁膜２２０及び第２絶縁膜２１８が順に覆われている。また、図１４Ｂに示したように、第１絶縁膜２２０を貫通するように形成された第１コンタクトホール４２２を通ってバリヤー電極２１２、サブバリヤー電極２１３は、第１配線パターン４１２に連結されて、この上部に、第２絶縁膜２１８が覆われており、図１４Ｃに示したように、第１絶縁膜２２０及び第２絶縁膜２１８を貫通するように形成された第２コンタクトホール４２４を通って第１透過電極２１４は、第２配線パターン４１４に連結されている。ここで、図示してはいないが、第２透過電極２１６も、実質的に、図１４Ｃのように、第１絶縁膜２２０及び第２絶縁膜２１８を貫通するように形成された第３コンタクトホール４２６を通って第３配線パターン４１６に連結される。
【００８５】
この時、望ましくは、第１ないし第３配線パターン４１２、４１４、４１６、共通配線パターン４１８は、低抵抗金属で構成されることが、信号の遅延等を防げて有利であるが、これは、画面表示とは関係のない第３基板２１０の非アクティブ領域４０２に位置することを勘案すると、不透明金属が使用されても構わなく、望ましくは、アルミニウムＡｌまたは、これの合金で構成される。これに比べて、バリヤー電極２１２、サブバリヤー電極２１３、第１透過電極２１４及び第２透過電極２１６は、透明な伝導性材質のインジウム−スズ−オキサイドＩＴＯで構成されることは前述した。
【００８６】
また、第１ないし第３配線パターン４１２、４１４、４１６の位置は、相互に変更されることができるが、第１配線パターン４１２にバリヤー電極２１２と、これから分枝されたサブバリヤー電極２１３が連結されて、第２配線パターン４１４及び第３配線パターン４１６に、第１透過電極２１４及び第２透過電極２１６が連結されることによって、バリヤー電極、第１透過電極２１４及び第２透過電極２１６のうちの少なくとも、１つは、必然的に、第１ないし第３配線パターン４１２、４１４、４１６のうちの少なくとも、１つと１度以上交差する。
【００８７】
図示したように、バリヤー電極２１２が、第２配線パターン４１４及び第３配線パターン４１６が各々１度交差しているが、このような交差点部分で、バリヤー電極２１２、第２配線パターン４１４及び第３配線パターン４１６間に、第２絶縁膜２１８が介されているので、寄生キャパシターによる不必要な停電容量が発生されることがあって、これを解決するために、本発明では、バリヤー電極２１２、第２配線パターン４１４及び第３配線パターン４１６の交差点部分で、前記バリヤー電極２１２の幅を最小限に縮めて、相互に重なる面積に、できるだけ小さくすることによって信号遅延等を解決する。
【００８８】
図面符号２１２ａで示されたように、バリヤー電極２１２は、第２配線パターン４１４及び第３配線パターン４１６との交差点部分で、ネック状をしている。
【００８９】
また、このような本発明によるパララックスバリヤー液晶パネル２００は、メイン液晶パネル１００とバックライト３００間に介されるので、第３基板２１０のアクティブ領域４０４内にメイン液晶パネル１００の表示領域を位置させると、全面積において２Ｄ映像、３Ｄ映像が表示される。
【００９０】
このために、本発明によるパララックスバリヤー液晶パネルの第３基板２１０のアクティブ領域４０４のサイズは、メイン液晶パネル１００の表示領域より大きく設けられて、これらのアラインにおいて、一定程度の余裕分を有するようにアクティブ領域４０４の外廓を覆うマージン領域４０６が定義される。
【００９１】
前記バリヤー電極２１２、サブバリヤー電極２１３、第１透過電極２１４及び第２透過電極２１６は、実質的に、前記マージン領域４０６からアクティブ領域４０４全体においてストライプ状に配列されて、その結果、メイン液晶パネル１００のアライン状態が、多少反れても、マージン領域４０６によって不必要にメイン液晶領域１００の表示領域が小さくなる現象を防いで、大面積の２Ｄ、３Ｄ映像を具現可能にしている。この時、前記マージン領域４０６の幅は、０.４ｍｍないし０.６ｍｍが可能であって、０.５程度が最も望ましい。
【００９２】
図１２を参照すると、本発明によるパララックスバリヤー液晶パネルの第３基板２１０の第１ないし第３配線パターン４１２、４１４、４１６に伝達される相互に異なるタイミングの液晶駆動電圧と共に、共通配線パターン４１８に伝達される共通電圧は、図示されてない、別途の外部回路部で出力されるが、前記回路部、第１ないし第３配線パターン４１２、４１４、４１６、共通配線パターン４１８を連結するためのＦＰＣ(Flexible Printed Circuit)電極パッド４３０が非アクティブ領域４０２の一側の端側に備えられている。
【００９３】
この時、ＦＰＣ電極パッド４３０は、第１ないし第３配線パターン４１２、４１４、４１６、共通配線パターン４１８の製造方法と同様な工程により、同一物質で構成されて、これら配線は、外部回路部とＦＰＣ電極パッド４３０に付着されるＦＰＣに連結される。前記ＦＰＣ電極パッド４３０は、相互に異なるタイミングの液晶駆動電圧及び共通電圧の伝達点以外にも、本発明によるパララックスバリヤー液晶パネル２００の製造工程全体において発生される静電気防止のショーティングバーの役割を兼ねる。
【００９４】
より詳しくは、前述した構成の、本発明によるパララックスバリヤー液晶パネル２００の第３基板及び第４基板(２１０、図１０の２４０、以下、同様である。)も、一般的な液晶パネルの製造工程と類似に第１大面積基板及び第２大面積基板上に、ポジション別に第３基板２１０及び第４基板２４０の各種の構成要素を区分して形成し、第２液晶層２３０を間に、前記第１大面積基板及び第２大面積基板を相互に対面合着させた後、セル別にスクライビングすることによって、複数のパララックスバリヤー液晶パネル２００を得ることができる。
【００９５】
前述した過程の際、第１大面積基板上に、ＦＰＣ電極パッド４３０を連結するショーティングラインを形成して、第１ないし第３配線パターン４１２、４１４、４１６と共通配線パターン４１８、バリヤー電極２１２とサブバリヤー電極２１３、第１透過電極２１４及び第２透過電極２１６、第２共通電極２４２を等電位で維持させられて、その結果、製造工程の際に発生される静電気による第１絶縁膜２２０及び第２絶縁膜２１８を、各電極または、配線パターン間のショートを防げる。また、このようなショーティングラインは、最終のスクライビング工程により切断して除去される。
【００９６】
図１５は、本発明によるパララックスバリヤー液晶パネル２００の第３基板２１０の構成要素がポジション別に区分形成された第１大面積基板５００を示した模式図であって、図１６は、このうちのＦＰＣ電極パッド４３０の周辺を拡大して示した図１５の円内部分Ｍの拡大平面図である。
【００９７】
図示したように、点線で示された切断線に沿って第１大面積基板５００が各々切断されると言う前提下に、前記切断線の外側に、複数のＦＰＣ電極パッド４３０を連結するショーティングライン４３２が形成されており、最終のスクライビング工程で、切断線に沿って切断されショーティングライン４３２が除去される。
【００９８】
また、本発明によるパララックスバリヤー液晶パネルには、第２液晶層２３０を間に、第３基板２１０の構成要素がポジション別に区分形成された第１大面積基板５００と、第４基板２４０の構成要素がポジション別に区分形成された第２大面積基板(図示せず)の合着後、これらを各セル別に分離するためのスクライビング工程において、これら大面積基板各々の切断線を表示する第１スクライビングキー及び第２スクライビングキーが形成されるが、特に、前記第１スクライビングキー及び第２スクライビングキーは、第１大面積基板５００上に、第１ないし第３配線パターン４１２、４１４、４１６、共通配線パターン４１８の形成過程と同一工程により、同一物質で形成される。
【００９９】
すなわち、本発明によるパララックスバリヤー液晶パネル２００の第４基板２４０には、通常の液晶パネルとは異なり、ブラックマトリックスまたは、カラーフィルター等のように不透明な要素がないので、第１大面積基板５００及び第２大面積基板(図示せず)各々の切断線を表示する第１スクライビングキー及び第２スクライビングキーが、第１大面積基板５００上に形成されることが可能であって、特に、第１ないし第３配線パターン４１２、４１４、４１６、共通配線パターン４１８の形成と同一工程により、同一物質で構成することによって、別途の追加的なマスク工程が省略できる長所がある。
【０１００】
図１７は、図１５の円内部分Ｎ、すなわち、第１スクライビングキー４４２及び第２スクライビングキー４４４が形成される地点を拡大して示した平面図であって、第３基板２１０の切断線を表示する第１スクライビングキー４４２が確認できて、この内側に、第４基板２４０の切断線を表示する第２スクライビングキー４４４が位置している。この時、第２スクライビングキー４４４は、第３基板２１０の非アクティブ領域４２に形成される。
【０１０１】
以下、前述した図１２ないし図１７を参照して、本発明によるパララックスバリヤー液晶パネルの製造工程を整理する。
【０１０２】
第１大面積基板５００を備えた後、ここに、ポジション別に第３基板２１０の構成要素を形成する。
【０１０３】
その具体的な順序は、先ず、第１大面積基板５００の一面に低抵抗金属、例えば、アルミニウムＡｌまたは、これの合金を薄膜として蒸着した後、その上部にフォトレジストを塗布する。所定のパターンが形成された第１マスクで、フォトレジストを露光及び現像することによって、前記薄膜の選択された一部を露出させて、このように露出された部分をエッチングして、目的とする薄膜パターンを形成する。その結果、ポジション別に区分された第３基板２１０上に、第１ないし第３配線パターン４１２、４１４、４１６と共通配線パターン４１８、これら各々に連結されたＦＰＣ電極パッド４３０及び前記ＦＰＣ電極パッド４３０を連結するショーティングライン４３２と、第１スクライビングキー４４２及び第２スクライビングキー４４４が各々形成される。また、残留フォトレジストを除去するが、以下、フォトレジストの塗布及び各々のマスクを利用した露光、現像のフォトーリソグラフィー工程と、後続されるエッチング、残留フォトレジストを除去する過程は、共通的であるため、簡略にマスクだけに区分する。
【０１０４】
さらに、このような第１ないし第３配線パターン４１２、４１４、４１６とＦＰＣ電極パターン４３０等が形成された第１大面積基板５００上に、絶縁物質の第１絶縁膜２２０を蒸着して、第２マスクを利用したフォトーリソグラフィー工程後、エッチング工程により前記第１配線パターン４１２を露出させる第１コンタクトホール４２２を貫通形成する。
【０１０５】
以後、第１コンタクトホール４２２が形成された第１絶縁膜２２０上に、透明インジウム−スズ−オキサイドＩＴＯ膜を蒸着した後、第３マスク工程を行い、前記第１コンタクトホール４２２を媒介に、第１配線パターン４１２に連結されたバリヤー電極２１２及びこれから分枝されたサブバリヤー電極２１３を完成する。この場合、バリヤー電極２１２は、第２配線パターン４１４及び第３配線パターン４１６との交差点で、ネック状２１２ａを構成して、その幅が最小を維持している。
【０１０６】
前記バリヤー電極２１２及びこれから分枝されたサブバリヤー電極２１３が形成された第１大面積基板５００全面に、第２絶縁膜２１８を蒸着して、第４マスク工程を行い、前記第１絶縁膜２２０及び第２絶縁膜２１８を貫通して、第２配線パターン４１４及び第３配線パターン４１６を各々露出させる第２コンタクトホール４２４及び第３コンタクトホール４２６を各々形成する。この時、ＦＰＣ電極パッド４３０を外部に露出することができる。
【０１０７】
前記第２絶縁膜２１８上に、インジウム−スズ−オキサイドＩＴＯ薄膜を蒸着した後、第５マスク工程により前記第２コンタクトホール４２４及び第３コンタクトホール４２６を媒介に、各々第２配線パターン４１４及び第３配線パターン４１６に連結される第１透過電極２１４及び
第２透過電極２１６を完成する。
【０１０８】
このような過程により第１大面積基板５００の製造工程が完了されて、これとは別途の工程により完成された第２大面積基板を備えるが、このような第２大面積基板には、第２共通電極２４２がポジション別に区分形成された状態である。
【０１０９】
また、第２液晶層２３０を間に、第１大面積基板５００及び第２大面積基板(図示せず)を対面合着するが、この時、大面積基板の合着のために、相互に対応する第３基板２１０及び第４基板２４０のうち、どちらかの１つの端側に沿って各々シールパターンが形成されて、第２液晶層２３０は、滴下または、真空注入方式により１ペアの大面積基板間に介されて、第３基板２１０の共通配線パターン４１８と第４基板２４０の第２共通電極２４２を、電気的に連結するための銀酸Ａｇドット等の伝導性物質が介されて、これは一般的な技術的思想を土台にする。
【０１１０】
以後、第１大面積基板５００に形成された第１スクライビングキー４４２に沿って第１大面積基板５００をセル別に切断して、また、第１大面積基板５００に各々形成された第２スクライビングキー４４４に沿って第２大面積基板をセル別に切断して、本発明によるパララックスバリヤー液晶パネル２００を完成する。この時、第１スクライビングキー４４２に沿って第１大面積基板５００を各セル別に第３基板２１０に切断する過程の際、ＦＰＣ電極パッド４３０を連結させるショーティングライン４３２は除去される。
【図面の簡単な説明】
【０１１１】
【図１】伝統的なパララックスバリヤー方式の立体映像表示装置の断面図である。
【図２Ａ】一般的な立体映像表示装置の２Ｄモードの断面図である。
【図２Ｂ】一般的な立体映像表示装置の３Ｄモードの断面図である。
【図３】一般的な３Ｄのまた他の形態の立体映像表示装置の断面図である。
【図４】一般的な立体映像表示装置の３Ｄ具現映像の平面図である。
【図５】本発明の実施例１による立体映像表示装置の断面図である。
【図６】本発明による立体映像表示装置のメイン液晶パネルの一部分解斜視図である。
【図７】本発明の実施例１による立体映像表示装置のパララックスバリヤー液晶パネルの一部拡大断面図である。
【図８】本発明の実施例１による立体映像表示装置の３Ｄ具現映像の模式図である。
【図９】本発明の実施例２による立体映像表示装置の断面図である。
【図１０】本発明の実施例２による立体映像表示装置のパララックスバリヤー液晶パネルの一部拡大断面図である。
【図１１】本発明の実施例２による立体映像表示装置の３Ｄ具現映像の模式図である。
【図１２】本発明の実施例２によるパララックスバリヤー液晶パネルの第３基板の平面図である。
【図１３】図１２の円内部分Ｌの拡大平面図である。
【図１４Ａ】図１３のＸ-Ｘ線に沿って切断した断面図である。
【図１４Ｂ】図１３のＹ-Ｙ線に沿って切断した断面図である。
【図１４Ｃ】図１３のＺ-Ｚ線に沿って切断した断面図である。
【図１５】本発明によるパララックスバリヤー液晶パネルの製造方法の説明のための第１大面積基板の模式図である。
【図１６】図１５の円内部分Ｍの拡大平面図である。
【図１７】図１５の円内部分Ｎの拡大平面図である。
【符号の説明】
【０１１２】
２１０：第３基板                    
２１２：バリヤー電極
２１３：サブバリヤー電極          
２１４：第１透過電極              
２１６：第２透過電極
４０２：非アクティブ領域          
４０４：アクティブ領域
４０６：マージン領域
４１２：第１配線パターン          
４１４：第２配線パターン
４１６：第３配線パターン          
４１８：共通配線パターン
４２２：第１コンタクトホール
４２４：第２コンタクトホール
４２６：第３コンタクトホール
４３０：ＦＰＣ電極パッド
【図１】
2006189764.tif 000003
【図２Ａ】
2006189764.tif 000004
【図２Ｂ】
2006189764.tif 000005
【図３】
2006189764.tif 000006
【図４】
2006189764.tif 000007
【図５】
2006189764.tif 000008
【図６】
2006189764.tif 000009
【図７】
2006189764.tif 000010
【図８】
2006189764.tif 000011
【図９】
2006189764.tif 000012
【図１０】
2006189764.tif 000013
【図１１】
2006189764.tif 000014
【図１２】
2006189764.tif 000015
【図１３】
2006189764.tif 000016
【図１４Ａ】
2006189764.tif 000017
【図１４Ｂ】
2006189764.tif 000018
【図１４Ｃ】
2006189764.tif 000019
【図１５】
2006189764.tif 000020
【図１６】
2006189764.tif 000021
【図１７】
2006189764.tif 000022